(57)【要約】【課題】部品点数を減らし、全体の強度と屈曲弾性を維持しつつ単純な構造として、組立やメンテナンスが容易で、かつ、摩耗や破損を防止し、耐久性を向上し、摩耗粉等による汚染を防止し、輸送や製造のコストを低減するケーブル類保護案内装置を提供すること。【解決手段】屈曲可能な支持プレート１１０プレートの左右に連結ピン１２１で連結される１対のサイドプレート１２０、１３０を有しケーブル類を挿通して保護案内するケーブル類保護案内装置において、トップガイド１４０が、トップガイドピン１４１と該トップガイドピン１４１に回転可能に遊嵌されるトップガイドローラ１４２とから構成されていること。【選択図】図２
2011012753.tif 000002
【特許請求の範囲】
【請求項１】
屈曲可能な支持プレートと、該支持プレートの左右に設けられ連結ピンで連結される１対のサイドプレートと、該左右１対のサイドプレートの屈曲外周側に横架されたトップガイドを有し、前記左右１対のサイドプレート、支持プレートおよびトップガイドによって形成されるケーブル類収容空間内にケーブル類を挿通して保護案内するケーブル類保護案内装置において、
前記トップガイドが、トップガイドピンと該トップガイドピンに回転可能に遊嵌されるトップガイドローラとから構成されていることを特徴とするケーブル類保護案内装置。
【請求項２】
前記左右１対のサイドプレートが、それぞれ、連結ピンあるいは連結ピン係合部の近傍に設けられた可撓性の連結部材によって複数一体に形成されたサイドプレートユニットを構成し、
前記支持プレートが、前記連結ピンの周囲の一部あるいは全部を覆う円弧部と、隣接する該円弧部を連結する屈曲可能な連結板部とを交互に連続的に形成され、
前記左右１対のサイドプレートの一方のサイドプレートが、連結ピンおよびトップガイドピンを一体に備え、
前記左右１対のサイドプレートの他方のサイドプレートが、前記連結ピンを係合する連結ピン係合部およびトップガイドピンを係合するトップガイドピン係合部を備えていることを特徴とする請求項１に記載のケーブル類保護案内装置。
【請求項３】
前記支持プレートが、１か所以上の連結板部において長手方向に分割されてなり、
前記サイドプレートユニットが、前記支持プレートの分割された連結板部を跨ぐように設けられていることを特徴とする請求項１または請求項２に記載のケーブル類保護案内装置。
【請求項４】
前記一方のサイドプレートが、前記支持プレートの円弧部と連結板部との境界部近傍に補助連結ピンを有し、
前記他方のサイドプレートが、前記補助連結ピンを係合する補助連結ピン係合部を有していることを特徴とする請求項１乃至請求項３のいずれかに記載のケーブル類保護案内装置。
【請求項５】
前記一方のサイドプレートおよび／または他方のサイドプレートが、前記支持プレートの円弧部よりケーブル類収容空間側にケーブルガイドプレートを有していることを特徴とする請求項１乃至請求項４のいずれかに記載のケーブル類保護案内装置。
【請求項６】
前記サイドプレートユニットが、弾性を有するエラストマで一体に形成されていることを特徴とする請求項１乃至請求項５のいずれかに記載のケーブル類保護案内装置。
【請求項７】
前記支持プレートが、弾性を有するエラストマで一体に形成されていることを特徴とする請求項１乃至請求項６のいずれかに記載のケーブル類保護案内装置。
【発明の詳細な説明】
【技術分野】
【０００１】
本発明は、工作機械、電子機器、土木機械、産業用ロボット、搬送装置などに使用され、これらの移動部に給電、信号電送、給液、給気などを行う電気ケーブル、光ファイバーケーブル、流体供給用ホースなどの可撓性のケーブルやホースなど（以下、単に「ケーブル類」という）を安全確実に保護案内するケーブル類保護案内装置に関するものである。
【背景技術】
【０００２】
従来、屈曲可能な支持プレートと、支持プレートの屈曲外周側に左右に設けられ連結ピンで連結される１対のサイドプレートと、該左右１対のサイドプレートの屈曲外周側に横架されたトップガイドを有し、左右１対のサイドプレート、支持プレートおよびトップガイドによって形成されるケーブル類収容空間内にケーブル類を挿通して保護案内するケーブル類保護案内装置が知られている。
【０００３】
この公知のケーブル類保護案内装置５００は、図１１に示すように、屈曲可能な支持プレート５１０が、該支持プレート５１０の屈曲外周側に左右に設けられ連結ピン５２１で連結される１対のサイドプレート５２０により挟まれて構成されており、左右１対のサイドプレート５２０の屈曲外周側に横架されたトップガイド５４０を有し、これらの左右１対のサイドプレート５２０、支持プレート５１０およびトップガイド５４０によって形成されるケーブル類収容空間内にケーブル類を挿通して保護案内するように構成されている。
【０００４】
このケーブル類保護案内装置５００の支持プレート５１０は、１対のサイドプレート５２０により挟まれる支持部分５１１と隣接する支持部分５１１を連結する屈曲可能なヒンジ部分５１２とが連続的に一体に形成されている。
また、支持プレート５１０は、結合片５１４が爪部５１５によって互いに結合されることにより支持部分５１１と同一形状となる分割支持部分５１３を有することで長手方向に分割可能に構成されている。
【０００５】
このケーブル類保護案内装置５００の左右１対のサイドプレート５２０は、それぞれ屈曲内周側に連結ピン５２１および連結ピン係合部５２２を有しており、これらが互いに係合することによって支持プレート５１０を挟持して固定される。
また、左右１対のサイドプレート５２０は、それぞれ屈曲外周側にトップガイド５４０を有しており、左右１対のトップガイド５４０は、左右１対のサイドプレート５２０が固定された際に、ケーブル類をケーブル類収容空間内に収容するための空間を形成するように構成されている。
【先行技術文献】
【特許文献】
【０００６】
【特許文献１】特表２００５−５１７３７５号公報（第７頁、図５乃至図８）
【発明の概要】
【発明が解決しようとする課題】
【０００７】
しかしながら、このような公知のケーブル類保護案内装置５００は、屈曲外周側の直線部分を床面や壁面に摺接させる場合、左右１対のサイドプレート５２０の端部やトップガイド５４０が摺接して摩耗や破損が生じたり、摩耗粉等による汚染が発生するという問題があった。
【０００８】
また、ケーブル類保護案内装置５００の組み立てやメンテナンスの際に、サイドプレート５２０をそれぞれ個別に左右から支持プレート５１０を挟持して固定する必要があり、取り外す際もそれぞれ個別に取り外す必要があるため、工数が増加するという問題があった。
また、サイドプレート５２０の部品点数が多いことにより、破損や損傷の危険性が高く、輸送時、製造時の手間とコストも増大するという問題があった。
【０００９】
さらに、このような公知のケーブル類保護案内装置５００は、支持プレート５１０のみでケーブル類保護案内装置５００全体の強度と屈曲弾性を維持しているため、支持プレート５１０をそれらが維持できる形状、構造、材質とする必要があり、特に、長手方向で一部分割可能な形態とした場合さらに複雑な構造となり、耐久性が低く、製造コストも上昇するという問題があった。
【００１０】
本発明は、前述したような従来技術の問題を解決するものであって、すなわち、本発明の目的は、部品点数を減らし、全体の強度と屈曲弾性を維持しつつ単純な構造として、組立やメンテナンスが容易で、かつ、摩耗や破損を防止し、耐久性を向上し、摩耗粉等による汚染を防止し、輸送や製造のコストを低減するケーブル類保護案内装置を提供することである。
【課題を解決するための手段】
【００１１】
本請求項１に係る発明は、屈曲可能な支持プレートと、該支持プレートの左右に設けられ連結ピンで連結される１対のサイドプレートと、該左右１対のサイドプレートの屈曲外周側に横架されたトップガイドを有し、前記左右１対のサイドプレート、支持プレートおよびトップガイドによって形成されるケーブル類収容空間内にケーブル類を挿通して保護案内するケーブル類保護案内装置において、前記トップガイドが、トップガイドピンと該トップガイドピンに回転可能に遊嵌されるトップガイドローラとから構成されていることにより、前記課題を解決するものである。
【００１２】
本請求項２に係る発明は、請求項１に記載されたケーブル類保護案内装置の構成に加えて、前記左右１対のサイドプレートが、それぞれ、連結ピンあるいは連結ピン係合部の近傍に設けられた可撓性の連結部材によって複数一体に形成されたサイドプレートユニットを構成し、前記支持プレートが、前記連結ピンの周囲の一部あるいは全部を覆う円弧部と、隣接する該円弧部を連結する屈曲可能な連結板部とを交互に連続的に形成され、前記左右１対のサイドプレートの一方のサイドプレートが、連結ピンおよびトップガイドピンを一体に備え、前記左右１対のサイドプレートの他方のサイドプレートが、前記連結ピンを係合する連結ピン係合部およびトップガイドピンを係合するトップガイドピン係合部を備えていることにより、前記課題をさらに解決するものである。
【００１３】
本請求項３に係る発明は、請求項１または請求項２に記載されたケーブル類保護案内装置の構成に加えて、前記支持プレートが、１か所以上の連結板部において長手方向に分割されてなり、前記サイドプレートユニットが、前記支持プレートの分割された連結板部を跨ぐように設けられていることにより、前記課題をさらに解決するものである。
【００１４】
本請求項４に係る発明は、請求項１乃至請求項３のいずれかに記載されたケーブル類保護案内装置の構成に加えて、前記一方のサイドプレートが、前記支持プレートの円弧部と連結板部との境界部近傍に補助連結ピンを有し、前記他方のサイドプレートが、前記補助連結ピンを係合する補助連結ピン係合部を有していることにより、前記課題をさらに解決するものである。
【００１５】
本請求項５に係る発明は、請求項１乃至請求項４のいずれかに記載されたケーブル類保護案内装置の構成に加えて、前記一方のサイドプレートが、前記支持プレートの円弧部よりケーブル類収容空間側にケーブルガイドプレートを有していることにより、前記課題をさらに解決するものである。
【００１６】
本請求項６に係る発明は、請求項１乃至請求項５のいずれかに記載されたケーブル類保護案内装置の構成に加えて、前記サイドプレートユニットが、弾性を有するエラストマで一体に形成されていることにより、前記課題をさらに解決するものである。
【００１７】
本請求項７に係る発明は、請求項１乃至請求項６のいずれかに記載されたケーブル類保護案内装置の構成に加えて、前記支持プレートが、弾性を有するエラストマで一体に形成されていることにより、前記課題をさらに解決するものである。
【発明の効果】
【００１８】
本請求項１に係る発明のケーブル類保護案内装置は、屈曲可能な支持プレートと、該支持プレートの左右に設けられ連結ピンで連結される１対のサイドプレートと、該左右１対のサイドプレートの屈曲外周側に横架されたトップガイドを有し、左右１対のサイドプレート、支持プレートおよびトップガイドによって形成されるケーブル類収容空間内にケーブル類を挿通して保護案内するケーブル類保護案内装置において、トップガイドがトップガイドピンと該トップガイドピンに回転可能に遊嵌されるトップガイドローラとから構成されていることにより、ケーブル類保護案内装置の屈曲外周側を床面や壁面に摺接させる場合、トップガイドローラが床面や壁面を転動することにより摩擦抵抗を低減することができるため、摩耗や破損が発生することを防止でき、耐久性を向上することができるとともに、摩耗粉等による汚染を防止することができる。
【００１９】
本請求項２に係る発明のケーブル類保護案内装置は、請求項１に係るケーブル類保護案内装置が奏する効果に加えて、左右１対のサイドプレートがそれぞれ連結ピンあるいは連結ピン係合部の近傍に設けられた可撓性の連結部材によって複数一体に形成されたサイドプレートユニットを構成されていることにより、複数のサイドプレートをまとめて製造、輸送、組み立てを行うことができ、支持プレートが、連結ピンの周囲の一部あるいは全部を円弧部と、隣接する該円弧部を連結する屈曲可能な連結板部とを交互に連続的に形成されていることにより、左右１対のサイドプレートユニットがそれぞれ一体の構成部材、支持プレートが円弧部と連結板部とが連続した一体の構成部材として形成できるため、部品点数が減少し、組立やメンテナンスが容易となるとともに、輸送や製造のコストも低減することができる。
【００２０】
また、左右１対のサイドプレートがそれぞれ連結ピンあるいは連結ピン係合部の近傍に設けられた可撓性の連結部材によって複数一体に形成されていることにより、ケーブル類保護案内装置全体の強度と屈曲弾性を支持プレートと可撓性の連結部材の両方で維持することができるため、全体の強度と屈曲弾性を維持しつつ単純な構造とすることができ、さらに組立やメンテナンスが容易となるとともに、輸送や製造のコストも低減することができる。
【００２１】
さらに、左右１対のサイドプレートの一方のサイドプレートが連結ピンおよびトップガイドピンを一体に備え、左右１対のサイドプレートの他方のサイドプレートが連結ピンを係合する連結ピン係合部およびトップガイドピンを係合するトップガイドピン係合部を備えていることによって、さらに部品点数が減少し、組立やメンテナンスが容易となるとともに、輸送や製造のコストも低減することができる。
【００２２】
本請求項３に係る発明のケーブル類保護案内装置は、請求項１または請求項２に係るケーブル類保護案内装置が奏する効果に加えて、支持プレートが１か所以上の連結板部において長手方向に分割されてなり、サイドプレートユニットが支持プレートの分割された連結板部を跨ぐように設けられていることによって、支持プレートの分割部分の強度と屈曲弾性をサイドプレートユニットの可撓性の連結部材によって維持することができるため、分割された支持プレートを強固に結合させるための構造を設ける必要がなく、支持プレートを単純な構造とすることができ、さらに組立やメンテナンスが容易となるとともに、製造コストも低減することができる。
【００２３】
本請求項４に係る発明のケーブル類保護案内装置は、請求項１乃至請求項３のいずれかに係るケーブル類保護案内装置が奏する効果に加えて、一方のサイドプレートが支持プレートの円弧部と連結板部との境界部近傍に補助連結ピンを有し、他方のサイドプレートが補助連結ピンを係合する補助連結ピン係合部を有していることによって、支持プレートの屈曲弾性によって支持プレートの円弧部がサイドプレートの連結ピンから外れるのを補助連結ピンが規制して防止することができるため、支持プレートの構造をさらに単純化することができ製造コストも低減することができる。
【００２４】
本請求項５に係る発明のケーブル類保護案内装置は、請求項１乃至請求項４のいずれかに係るケーブル類保護案内装置が奏する効果に加えて、少なくとも一方のサイドプレートが支持プレートの円弧部よりケーブル類収容空間側にケーブルガイドプレートを有していることによって、収容されたケーブル類が支持プレートに直接接触することを防止できるため、支持プレートの耐久性を向上させるための構造や材質の選択が不要となり、支持プレートをさらに単純化することができ製造コストも低減することができる。
【００２５】
本請求項６に係る発明のケーブル類保護案内装置は、請求項１乃至請求項５のいずれかに係るケーブル類保護案内装置が奏する効果に加えて、サイドプレートユニットが弾性を有するエラストマで一体に形成されていることによって、ケーブル類収容空間内に収容されたケーブル類がサイドプレートに接触したり摺接した場合でも破損や損傷を防止することができるとともに、製造コストを低減することができる。
【００２６】
本請求項７に係る発明のケーブル類保護案内装置は、請求項１乃至請求項６のいずれかに係るケーブル類保護案内装置が奏する効果に加えて、支持プレートが弾性を有するエラストマで一体に形成されていることによって、支持プレートをさらに単純化することができ製造コストも低減することができる。
【図面の簡単な説明】
【００２７】
【図１】本発明のケーブル類保護案内装置の一実施例の斜視図。
【図２】図１の一部分解斜視図。
【図３】図１の第１サイドプレートユニットの斜視図。
【図４】図３の平面図。
【図５】図３の側面図。
【図６】図１の支持プレートの斜視図。
【図７】図６の側面図。
【図８】図１の第２サイドプレートユニットの斜視図。
【図９】図８の平面図。
【図１０】図８の側面図。
【図１１】従来のケーブル類保護案内装置の斜視図。
【図１２】従来のケーブル類保護案内装置の支持プレートの側面図。
【図１３】従来のケーブル類保護案内装置のサイドプレートの側面図。
【発明を実施するための形態】
【００２８】
本発明のケーブル類保護案内装置は、屈曲可能な支持プレートと、該支持プレートの左右に設けられ連結ピンで連結される１対のサイドプレートと、該左右１対のサイドプレートの屈曲外周側に横架されたトップガイドを有し、左右１対のサイドプレート、支持プレートおよびトップガイドによって形成されるケーブル類収容空間内にケーブル類を挿通して保護案内するケーブル類保護案内装置において、トップガイドが、トップガイドピンと該トップガイドピンに回転可能に遊嵌されるトップガイドローラとから構成されており、部品点数を減らし、全体の強度と屈曲弾性を維持しつつ単純な構造として、組立やメンテナンスが容易となり、かつ、耐久性が向上し、輸送や製造のコストが低減されるものであれば、その具体的な実施態様は如何なるものであっても何ら構わない。
【００２９】
本発明のケーブル保護案内装置の支持プレートの材質は、変形屈曲可能なものであれば、スチール、アルミニウム、ステンレス等の金属や、樹脂等の如何なるものであっても良く、表面に塗装、メッキ等の処理を施したものであっても良い。製造コストを低減するためエラストマとするのが好適である。
【００３０】
また、本発明のケーブル保護案内装置のサイドプレートユニットの材質は、連結部材が可撓性を有するように形成できるものであれば、スチール、アルミニウム、ステンレス等の金属や、樹脂等の如何なるものであっても良く、表面に塗装、メッキ等の処理を施したものであっても良い。破損や損傷を防止し製造コストを低減するためエラストマとするのが好適である。
【実施例】
【００３１】
以下に、本発明のケーブル類保護案内装置について図面に基づいて説明する。
本発明の一実施例であるケーブル類保護案内装置１００は、図１、図２に示すように、屈曲可能な支持プレート１１０が、該支持プレート１１０の屈曲外周側に左右に設けられ連結ピン１２１で連結される１対の第１サイドプレート１２０、第２サイドプレート１３０により挟まれて構成されており、左右１対のサイドプレート１２０の屈曲外周側に横架されたトップガイド１４０を有し、これらの第１サイドプレート１２０、第２サイドプレート１３０、支持プレート１１０およびトップガイドローラ１４２がトップガイドピン１４１に回転可能に遊嵌されたトップガイド１４０によって形成されるケーブル類収容空間内にケーブル類を挿通して保護案内するように構成されている。
【００３２】
第１サイドプレート１２０は、図３乃至図５に示すように、円柱状の連結ピン１２１およびトップガイドピン１４１が一体に形成されているとともに、連結ピン１２１のケーブル類収容空間側に支持プレート１１０の円弧部１１１（後述）が挿入される間隔をあけて円弧状で支持プレート１１０のほぼ半分の幅のケーブルガイドプレート１２２が一体に形成されている。
連結ピン１２１は幅方向途中までの長さを有し、先端には連結ピン係合部１３１（後述）と嵌合する段部が形成されている。
【００３３】
第１サイドプレート１２０は、連結ピン１２１を有する位置の側方に設けられた連結部材１２３によって互いに複数が連結されて（本実施例では５つ）一体に形成され、第１サイドプレートユニット１０１が構成されている。
また、それぞれの第１サイドプレート１２０の連結ピン１２１下方には１対の補助連結ピン１２４が一体に形成されている。
【００３４】
支持プレート１１０は、図６、図７に示すように、連結ピン１２１の周囲を覆う円弧部１１１と隣接する円弧部１１１を連結する屈曲可能な連結板部１１２とが交互に連続的に一体に形成されている。
また、支持プレート１１０は一定数の円弧部１１１（本実施例では５つ）ごとに、連結板部１１２の中央を分割部１１３として分割されている。
【００３５】
第２サイドプレート１３０は、図８乃至図１０に示すように、第１サイドプレート１２０の連結ピン１２１の先端の段部が挿入されて係合する連結ピン係合部１３１が一体に形成されているとともに、トップガイドピン１４１の先端が挿入されて係合するトップガイドピン係合部１３２と、第１サイドプレート１２０の補助連結ピン１２４に対向する位置に補助連結ピン１２４が設けられている。
【００３６】
連結ピン係合部１３１の外径は連結ピン１２１と同一の外径を有し、連結ピン１２１の反対側から支持プレート１１０の円弧部１１１に挿入され、支持プレート１１０の円弧部１１１内で連結ピン１２１と連結ピン係合部１３１が係合するように構成されている。
また、第１サイドプレート１２０の補助連結ピン１２４に対向する位置に支持プレート１１０のほぼ半分の幅のケーブルガイドプレート１２２が一体に形成されている。
【００３７】
第２サイドプレート１３０は、連結ピン係合部１３１を有する位置の側方に設けられた連結部材１３３によって互いに複数が連結されて（本実施例では５つ）一体に形成され、第２サイドプレートユニット１０２が構成されている。
【００３８】
以上のように構成された第１サイドプレートユニット１０１、第２サイドプレートユニット１０２、支持プレート１１０およびトップガイドローラ１４２がトップガイドピン１４１に回転可能に遊嵌されたトップガイド１４０からなるケーブル類保護案内装置１００の組み立ておよび動作について説明する。
【００３９】
まず、図２（中央および右側）に示すように、支持プレート１１０の側方から第１サイドプレートユニット１０１を近づけ、支持プレート１１０の円弧部１１１に第１サイドプレート１２０に設けられた連結ピン１２１を挿入し、トップガイドローラ１４２をトップガイドピン１４１に回転可能に遊嵌してコの字状のケーブル類収容空間の一部が形成される。
ケーブル類（図示せず）はこの状態でケーブル類収容空間にセットされる。
【００４０】
次に、支持プレート１１０の反対側の側方から第２サイドプレートユニット１０２を近づけ、支持プレート１１０の円弧部１１１から突出した連結ピン１２１に第２サイドプレート１３０に設けられた連結ピン係合部１３１を係合するとともに、トップガイドピン１４１の先端をトップガイドピン係合部１３２に係合することで、ケーブル類収容空間を有するケーブル類保護案内装置１００の組み立てが完了する。
【００４１】
このことで、ケーブル類保護案内装置１００の屈曲側の外周は回転可能なトップガイドローラ１４２が位置することとなり、ケーブル類保護案内装置１００の屈曲外周側を床面や壁面に摺接させる場合、トップガイドローラ１４２が床面や壁面を転動することにより摩擦抵抗を低減することができるため、摩耗や破損が発生を防止することができ、耐久性を向上することができる。
【００４２】
支持プレート１１０の連結板部１１２、第１サイドプレートユニット１０１および第２サイドプレートユニット１０２の連結部材１２３、１３３がそれぞれ可撓性を有しており、これらが屈曲することでケーブル類保護案内装置１００を屈曲することができる。
なお、支持プレート１１０の分割部１１３の位置の側方には必ず第１サイドプレートユニット１０１および第２サイドプレートユニット１０２の連結部材１２３、１３３が存在するように配置することで、ケーブル類保護案内装置１００の長さを自由に設定することができる。
【００４３】
第１サイドプレート１２０の連結ピン１２１のケーブル類収容空間側には第１サイドプレート１２０および第２サイドプレート１３０の円弧状のケーブルガイドプレート１２２が対向して幅方向ほぼ全面を渡るように設けられており、支持プレート１１０の円弧部１１１が連結ピン１２１とケーブルガイドプレート１２２の間の空間に挿入されるため、ケーブル類収容空間に収容されたケーブル類が支持プレート１１０に直接接触することがなく支持プレート１１０の損傷や摩耗を防止して耐久性を向上している。
なお、このケーブルガイドプレート１２２は、ケーブル類と支持プレート１１０の接触を防ぐものであるため、第１サイドプレート１２０および第２サイドプレート１３０のケーブルガイドプレート１２２が互いに係合する必要はない。
【００４４】
また、第１サイドプレート１２０の連結ピン１２１下方には１対の補助連結ピン１２４が一体に形成されており、第２サイドプレート１３０の第１サイドプレート１２０の補助連結ピン１２４に対向する位置にも補助連結ピン１２４が設けられて一体に形成されており、これらが対向して幅方向ほぼ全面を渡って支持プレート１１０の円弧部１１１と連結板部１１２の境界近傍の外周側から押えることができるため、屈曲弾性によって支持プレート１１０の円弧部１１１が開放して上方に浮き上がり連結ピン１２１から外れることを防止している。
【００４５】
また、第１サイドプレートユニット１０１および第２サイドプレートユニット１０２をエラストマでそれぞれ一体に形成することにより、連結部材１２３、１３３の可撓性が確保され、かつ、ケーブル類収容空間を形成する第１サイドプレート１２０、第２サイドプレート１３０およびケーブルガイドプレート１２２にケーブル類が接触したり摺接した場合でも破損や損傷を防止することができるとともに、製造コストを低減することができる。
【００４６】
また、トップガイドローラ１４２の外周面を粗面化することで、トップガイドローラ１４２が床面や壁面に接触した際に確実に回転することで、摩耗をさらに低減することができる。
【００４７】
さらに、支持プレート１１０をエラストマで一体に形成することにより、可撓性が確保され、かつ、製造コストを低減することができるとともに、支持プレート１１０にケーブル類が接触したり摺接した場合でも破損や損傷が低減されるため、ケーブルガイドプレート１２２を省略することも可能となる。
【００４８】
なお、上記実施例では、支持プレート１１０の円弧部１１１が連結ピン１２１の周囲のほぼ全部を覆う形状に構成され一部下方が開放されているが、連結ピン１２１から外れることを防止するため、１８０°を超えて覆う形状とするのが望ましい。
また、支持プレート１１０の円弧部１１１が連結ピン１２１の周囲の全部を覆う形状、すなわち円筒状に構成しても良く、この場合、第１サイドプレート１２０に補助連結ピン１２４を備えなくても支持プレート１１０の円弧部１１１が上方に浮き上がり連結ピン１２１から外れることはない。
【００４９】
また、トップガイドピン１４１を第２サイドプレート１３０に一体に設け、トップガイドピン係合部１３２を第１サイドプレート１２０に設けてもよく、この場合、支持プレート１１０の円弧部１１１に第１サイドプレート１２０に設けられた連結ピン１２１を挿入した際に、Ｌ字状のケーブル類収容空間の一部が形成され、ケーブル類のケーブル類収容空間へのセットがさらに容易になる。
【００５０】
また、連結ピン１２１と連結ピン係合部１３１、トップガイドピン１４１とトップガイドピン係合部１３２は、本実施例のもの以外のいかなる形態、形状であっても良い。
また、第１サイドプレート１２０および第２サイドプレート１３０にそれぞれ設けられたケーブルガイドプレート１２２あるいは補助連結ピン１２４を、どちらか一方のサイドプレートに設けても良く、他方のサイドプレートにその係合部を設けても良い。
【００５１】
また、上記実施例では、支持プレート１１０の両端の分割部１１３が幅方向に直線的に形成されているが、曲線状状としても良く、隣接する支持プレート１１０の分割部１１３と凹凸嵌合する形状としても良い。
【００５２】
以上のように、本発明のケーブル類保護案内装置によれば、部品点数を減らし、全体の強度と屈曲弾性を維持しつつ単純な構造として、組立やメンテナンスが容易となり、かつ、耐久性が向上し、摩耗や破損を防止し、輸送や製造のコストが低減されるなど、その効果は甚大である。
【符号の説明】
【００５３】
１００、５００  ・・・ケーブル類保護案内装置
１０１          ・・・第１サイドプレートユニット
１０２          ・・・第２サイドプレートユニット
１１０、５１０  ・・・支持プレート
１１１          ・・・円弧部
１１２          ・・・連結板部
１１３          ・・・分割部
５１１  ・・・支持部分
５１２  ・・・ヒンジ部分
５１３  ・・・分割支持部分
５１４  ・・・結合片
５１５  ・・・爪部
１２０          ・・・第１サイドプレート
５２０  ・・・サイドプレート
１２１、５２１  ・・・連結ピン
５２２  ・・・連結ピン係合部
１２２          ・・・ケーブルガイドプレート
１２３          ・・・連結部材
１２４          ・・・補助連結ピン
１３０          ・・・第２サイドプレート
１３１          ・・・連結ピン係合部
１３２          ・・・トップガイドピン係合部
１３３          ・・・連結部材
１４０、５４０  ・・・トップガイド
１４１          ・・・トップガイドピン
１４２          ・・・トップガイドローラ
【図１】
2011012753.tif 000003
【図２】
2011012753.tif 000004
【図３】
2011012753.tif 000005
【図４】
2011012753.tif 000006
【図５】
2011012753.tif 000007
【図６】
2011012753.tif 000008
【図７】
2011012753.tif 000009
【図８】
2011012753.tif 000010
【図９】
2011012753.tif 000011
【図１０】
2011012753.tif 000012
【図１１】
2011012753.tif 000013
【図１２】
2011012753.tif 000014
【図１３】
2011012753.tif 000015